(57)【要約】【課題】従来における椅子の背凭れにあっては、高齢者等の背中が湾曲した、例えば、歯科治療を受けようとする患者が椅子に着座した場合には、背中が背凭れに当接することがなく、そのため、治療時間が長くなると疲労感を覚えることとなり長時間の治療には不向きであるといった問題があった。【解決手段】背凭れ１をメイン背凭れ１２と、該メイン背凭れの上方のサブ背凭れ１４とに分割し、かつ、サブ背凭れがメイン背凭れに対して前傾可能に構成した椅子における背凭れ装置である。【選択図】　　　　図１
2004065952.tif 000002
【特許請求の範囲】
【請求項１】
背凭れをメイン背凭れと、該メイン背凭れの上方のサブ背凭れとに分割し、かつ、サブ背凭れがメイン背凭れに対して前傾可能に構成したことを特徴とする椅子における背凭れ装置。
【請求項２】
前記サブ背凭れは前記メイン背凭れに対して上下方向に移動可能としたことを特徴とする請求項１記載の椅子における背凭れ装置。
【請求項３】
前記メイン背凭れの両側に前方斜め方向に折曲され被施術者の両腕を包み込む翼片を一体的に形成したことを特徴とする請求項１記載の椅子における背凭れ装置。
【請求項４】
前記サブ背凭れの上部に枕を取付けたことを特徴とする請求項１および２記載の椅子における背凭れ装置。
【請求項５】
前記枕は前記サブ背凭れに対して角度調整を可能とするための機構を介して取付けられていることを特徴とする請求項４記載の椅子における背凭れ装置。
【請求項６】
背凭れをメイン背凭れと、該メイン背凭れの上方に位置するサブ背凭れとに分割し、該サブ背凭れを前記メイン背凭れの背面側に固定された昇降用アクチュエータで上下動させ、また、前記昇降用アクチュエータの先端に取付けられた角度用アクチュエータによって、前記サブ背凭れが前傾した位置に変位させるようにしたことを特徴とする背凭れ装置。
【発明の詳細な説明】
【０００１】
【発明の属する技術分野】
本発明は椅子、特に、歯科用の椅子に適するものであって、背凭れを２分割して上部の背凭れを着座した患者の方向に向かって前傾することにより、背中が湾曲した高齢者にも適するようにした椅子における背凭れ装置に関する。
【０００２】
【従来の技術】
従来における理美容用椅子や歯科用椅子における背凭れは１枚のものが一般的であり、座部に対して伏倒できるような構成のものであった。また、一部の商品として背凭れが上下方向に２分割され、着座した者の座高によって上部の背凭れを高くしたり低くしたりするものもあった。
【０００３】
【発明が解決しようとする課題】
ところで、前記した何れの背凭れにあっても、高齢者等の背中が湾曲した、例えば、歯科治療を受けようとする患者が椅子に着座した場合には、背中が背凭れに当接することがなく、そのため、治療時間が長くなると疲労感を覚えることとなり長時間の治療には不向きであるといった問題があった。
【０００４】
本発明は前記した問題点を解決せんとするもので、その目的とするところは、背凭れを上下方向に２分割すると共に上方の背凭れ（サブ背凭れ）を前傾可能としたことにより、背中が湾曲した患者であっても背中を支持できることから、長時間の治療にも適した椅子における背凭れ装置を提供せんとするにある。
【０００５】
【課題を解決するための手段】
本発明の椅子における背凭れ装置は前記した目的を達成せんとするもので、請求項１の手段は、背凭れをメイン背凭れと、該メイン背凭れの上方のサブ背凭れとに分割し、かつ、サブ背凭れがメイン背凭れに対して前傾可能に構成したものである。
【０００６】
請求項２の手段は、前記請求項１の手段において、前記サブ背凭れは前記メイン背凭れに対して上下方向に移動可能に構成され、請求項３の手段は、前記請求項１の手段において、前記メイン背凭れの両側に前方斜め方向に折曲され被施術者の両腕を包み込む翼片を一体的に形成したものである。
【０００７】
請求項４の手段は、前記請求項１および２の手段において、前記サブ背凭れの上部に枕が取付けられたものであり、請求項５の手段は、前記請求項４の手段において、前記枕が前記サブ背凭れに対して角度調整を可能とするための機構を介して取付けられているものである。
【０００８】
請求項６の手段は、背凭れをメイン背凭れと、該メイン背凭れの上方に位置するサブ背凭れとに分割し、該サブ背凭れを前記メイン背凭れの背面側に固定された昇降用アクチュエータで上下動させ、また、前記昇降用アクチュエータの先端に取付けられた角度用アクチュエータによって、前記サブ背凭れが前傾した位置に変位させるようにしたものである。
【０００９】
【発明の実施の形態】
以下、本発明に係る椅子における背凭れ装置の第１の実施の形態を図面と共に説明する。
１は背凭れ基板にして、下部には図示しない座部に対して回動自在に取付けるための支持部１１ａおよび座部に対して起伏するための油圧シリンダーー等のアクチュエータが取付けられる取付部１１ｂが形成されたアーム１１が一体的に形成されている。
【００１０】
前記背凭れ基板１の中央片１２の両側には着座した患者の両腕を包み込むための翼片１３が一体的に形成され、また、背凭れ基板１の中央片１２の上方に形成された切欠部にはサブ背凭れ１４が下端側の軸１４ａを支点として回動自在に取付けられている。そして、メイン背凭れ１２および翼片１３の前面側は１つのクッション材（図示せず）によって覆われ、また、サブ背凭れ１４の前面もクッション材（図示せず）によって覆われている。
【００１１】
２は一端（シリンダー側）が前記アーム１１に軸支された油圧シリンダーー等の昇降用アクチュエータ、３は前記メイン背凭れ１２の裏面の支持部材１２ａに固定されたスライドガイド１２ｂによってメイン背凭れ１２に対して上下動自在に支持された背凭れ支柱にして、該背凭れ支柱３の上端に前記昇降用アクチュエータ２の上端（ピストン側）に取付けられたピン３１に軸支されている。なお、前記支持部材１２ａは背凭れ支柱３のガイドレールとしての役目を持たせることが可能である。
【００１２】
従って、昇降用アクチュエータ２に油圧が供給されると、該昇降用アクチュエータ２のピストンに軸支されている背凭れ支柱３がスライドガイド１２ｂに案内されて上昇し、また、油圧が解除されるとスプリングのバネ力や自重によって下降するようになっている。
【００１３】
４は一端（シリンダー側）が前記ピン３１に軸支された油圧シリンダーー等の角度用アクチュエータにして、他端（ピストン側）は前記サブ背凭れ１４の背面側に固定されたブラケット１４ｂに軸支されている。従って、角度用アクチュエータ４に油圧を供給するとサブ背凭れ１４は軸１４ａを支点として前傾状態となる。
【００１４】
５は枕にして、該枕５の下端に延長された枕基板５１には枕固定ブラケット５２が取付けられ、該枕固定ブラケット５２が前記サブ背凭れ１４の上端に形成された軸１４ｃに対して回動自在に軸支されている。また、前記枕固定ブラケット５２にはピン５３が軸支され、このピン５３の両側と前記背凭れ支柱３のピン３１との間にはリンク６が介在されている。
【００１５】
このような構成からして、角度用アクチュエータ４が伸長すると、前記したようにサブ背凭れ１４が前傾状態となるが、この前傾状態において、リンク６を介して枕固定ブラケット５２のピン５３が下方に引かれるので、該枕固定ブラケット５１は軸１４ｃを支点として時計方向に回動され、その結果として枕５は床面に対して垂直状態を維持し、サブ背凭れ１４が前傾しても枕５はメイン背凭れ１２と平行な状態を維持することとなる。
【００１６】
なお、５４は前記枕基板５１と枕５とを接続する枕回転軸にして、該枕回転軸５４を緩めることにより枕５を枕基板５１に対して回動できるので、サブ背凭れ１４に対する角度を変更することができるようになっている。
【００１７】
次に、前記した構成に基づいて動作を説明する。
図１、図２は患者が着座する前の状態を示し、サブ背凭れ１４は下降位置にあり、かつ、背凭れ１のメイン背凭れ１２と平行な状態になっている。この状態において、高齢者のような背中が湾曲している患者の場合に、サブ背凭れ１４を患者の湾曲した背中に合わせる必要が生じるので、角度用アクチュエータ４に油を供給する。
【００１８】
すると、前記したように、ピストンに軸支されているブラケット１４ｂが押し上げられる方向に移動するが、この時、サブ背凭れ１４は下辺側が軸１４ａによって軸支されているので、サブ背凭れ１４は図３、図４に示すように前傾状態となる。従って、患者の背中、特に、肩に近い部分がサブ背凭れ１４に当接した状態となって、患者の背中全体が背凭れ１のメイン背凭れ１２およびサブ背凭れ１４によって支えられ、従って、患者に長時間の治療でも苦痛を与えることがない。
【００１９】
また、サブ背凭れ１４が前傾姿勢になっても、枕５はリンク６を介して枕固定ブラケット５２のピン５３が下方に引かれるので、該枕固定ブラケット５１は軸１４ｃを支点として回動され、その結果として枕５は床面に対して垂直状態を維持し、サブ背凭れ１４が前傾しても枕５はメイン背凭れ１２に対して平行状態を維持するので、患者の頭部も枕５に当接して支持されるので、患者はより安定状態となる。
【００２０】
なお、患者の背中の湾曲状態によっては、サブ背凭れ１４を前傾させた状態において頭部が枕５から離れる可能性があり、また、診療ポジション、すなわち、上側の歯の治療時には枕５を寝かせる方向に、また、下側の歯の治療時には枕５を起立方向に変位させる必要があるので、このような場合には、枕回転軸５４を緩めて枕５を枕基板５１に対して回動させて、枕５のサブ背凭れ１４に対する角度を変更することで、患者の頭部を枕５に当接させてより安定状態で治療することができる。
【００２１】
また、患者の座高は人によって異なるので、座高が高い患者の場合には、サブ背凭れ１４が患者の背中にフィットしないことがあるので、このような場合には、患者の身長に合わせてサブ背凭れ１４を昇降するために昇降用アクチュエータ２に油を供給する。すると、昇降用アクチュエータ２のピストンの伸長によって支柱３が上下動してサブ背凭れ１４が上下動するので、患者の背中上部がサブ背凭れ１４に当たるように調整を行うことで、背凭れ１のメイン背凭れ１２およびサブ背凭れ１４を患者の背中にフィットさせ、あるいは、施術が行いやすくなるものである（図５参照）。
【００２２】
次に、第２の実施の形態を図６〜図１１と共に説明する。なお、前記した実施の形態と同一符号は同一部材を示し説明は省略する。
この実施の形態にあっては、昇降用アクチュエータ２と、該昇降用アクチュエータ２の上端に接続された角度用アクチュエータ４とは、支柱３内に収容されると共に該支柱３に対してピン３１によって連結されている。また、前記角度用アクチュエータ４の上端（ピストン側）が連結金具１４ｃを介してサブ背凭れ４の背面側下部に固定されている。
【００２３】
さらに、前記サブ背凭れ４の上部には上端が前方（図７において左方向）に湾曲したガイド板１４ｄが固定金具１４ｅによって抜き差しおよび固定可能に取付けられている。また、ガイド板１４ｄの先端側裏面には突片１４ｄ１　が固定されている。
【００２４】
枕５の背面には横断面形でコ字状の背面板５５が取付けられており、該背面板５５の両側面には一端が背面板５５に第１リンク５５ａが軸支され、該第１リンク５５ａの他端は前記した第１の実施の形態において説明した枕回転軸５４（図示せず）から延長された軸５４ａに対し回転自在に軸支されている。また、この軸５４ａには第２リンク５５ｂの一端が固定され、他端は背面板５５に一端が軸支された第３リンク５５ｃに軸支されている。
【００２５】
このように構成した実施の形態において、昇降用アクチュエータ２および角度用アクチュエータ４に対して油圧が供給されていない状態にあっては、図６、図７に示すように、サブ背凭れ１４は背凭れ基板１の切欠部内に収容された状態にあり、かつ、枕５はサブ背凭れ１４の上端に下降した位置にある。なお、ガイド板１４ｄに取付けられている枕５は、該ガイド板１４ｄの突片１４ｄ１　に取付けられている第１リンク５５ａとの関係から、やや後方に傾いた状態となる。
【００２６】
この状態において、角度用アクチュエータ４に油圧を供給すると、サブ背凭れ１４は軸１４ａを支点として連結金具１４ｃを介して図８、図９に示すように前方に傾斜される。そして、サブ背凭れ１４が前方に傾斜されると、固定金具１４ｅに取付けられているガイド板１４ｄも前方に傾斜するので、該ガイド板１４ｄの突片１４ｄ１　に取付けられている枕５はガイド板１４ｄの前傾に伴って前方に変位し、この状態において枕５の頭部受け面は床面に対して垂直状態となるものである。
【００２７】
なお、前記した図６、図７の状態において、昇降用アクチュエータ２のみに油圧を供給した場合には、サブ背凭れ１４が単に上昇するのみであり、患者の身長に合わせることができるものである。
【００２８】
また、昇降用アクチュエータ２に油圧を供給し、かつ、角度用アクチュエータ４にも油圧を供給すると、図１０、図１１に示すように、サブ背凭れ１４が上昇しながら前記したと同様な作用によって前方に変位するので、患者の身長にあった状態で、かつ、背中が湾曲しているような患者であっても、サブ背凭れ１４の高さ位置および前傾姿勢によって、患者に長時間の治療にも苦痛を与えることがなくなる。
【００２９】
なお、患者の背中の湾曲状態によっては、サブ背凭れ１４を前傾させた状態において頭部が枕５から離れる可能性があり、また、診療ポジション、すなわち、上側の歯の治療時には枕５を寝かせる方向に、また、下側の歯の治療時には枕５を起立方向に変位させる必要があるので、このような場合には枕回転軸５４を緩めて軸５４ａをフリーな状態とすることで、該軸５４ａに固定されている第２リンク５５ｂは回転可能となり、該第２リンク５４ｂが回転可能となることで、第２リンク５４ｂを例えば反時計方向（図７、図９、図１１において）に回転させると、該第２リンク５４ｂと連結されている第３リンク５４ｃが枕５を起立させる方向に変位し、従って、患者の頭部位置に枕５を合わせることが可能となるものである。
【００３０】
なお、前記した第１、第２の実施の形態においては、歯科用椅子の場合において歯科患者の施術を行う場合について説明したが、その他の椅子、例えば、理美容用椅子にも応用できることは勿論のことである。
【００３１】
【発明の効果】
本発明は前記したように、背凭れをメイン背凭れと、該メイン背凭れの上方のサブ背凭れとに分割し、かつ、サブ背凭れがメイン背凭れに対して前傾可能に構成したので、高齢者のような背中が湾曲した患者等の被施術者が着座しても、サブ背凭れを前傾することで背中全体を背凭れで受けることが可能となり、従って、長時間の施術でも被施術者が疲労感を覚えることがなくなる。
【００３２】
また、前記サブ背凭れをメイン背凭れに対して上下動可能とすることにより、被施術者の座高に合わせて背凭れ全体の高さ調整が可能となるので、座高の異なる被施術者に背凭れをフィットさせることができる。
【００３３】
また、前記サブ背凭れに枕を取付けることにより、被施術者の上半身を受けることができるので、患者はリラックス状態で施術を受けることができ、さらに、枕を前記メイン背凭れとのなす角度を略一定とすることで自然体で着座が可能になると共に、枕をサブ背凭れに対して枕回転軸を介して取付けることで、枕をサブ背凭れに対して角度変化させて、着座している被施術者の頭部をよりフィットさせ、あるいは、最適な状態の診療ポジションに変位させることができる。
【００３４】
また、メイン背凭れの両側に前方斜め方向に折曲された翼片を一体的に形成することで、被施術者の両腕を包み込むことができ、従って、被施術者の背中が湾曲しているような場合でも、安定状態で施術することができる等の効果を有するものである。
【図面の簡単な説明】
【図１】本発明に係る椅子における背凭れ装置の第１の実施の形態を示す背面側から見た斜視図である。
【図２】同上の側面図である。
【図３】図１のサブ背凭れを前傾した状態の斜視図である。
【図４】同上の側面図である。
【図５】サブ背凭れを前傾させ、かつ、上昇させた状態の側面図である。
【図６】第２の実施の形態を示す背面側から見た斜視図である。
【図７】同上の側面図である。
【図８】サブ背凭れを前傾した状態の斜視図である。
【図９】同上の側面図である。
【図１０】サブ背凭れを前傾させ、かつ、上昇させた状態の斜視図である。
【図１１】同上の側面図である。
【符号の説明】
１　　　　　背凭れ
１２　　　　メイン背凭れ
１４　　　　サブ背凭れ
２　　　　　昇降用アクチュエータ
３　　　　　支柱
４　　　　　角度用アクチュエータ
５　　　　　枕
５４　　　　枕回転軸
６　　　　　リンク
【図１】
2004065952.tif 000003
【図２】
2004065952.tif 000004
【図３】
2004065952.tif 000005
【図４】
2004065952.tif 000006
【図５】
2004065952.tif 000007
【図６】
2004065952.tif 000008
【図７】
2004065952.tif 000009
【図８】
2004065952.tif 000010
【図９】
2004065952.tif 000011
【図１０】
2004065952.tif 000012
【図１１】
2004065952.tif 000013